(57)【要約】【課題】情報端末の使用者が表示部に表示された広告記事の全文を一般記事の全文と同様な感覚で読むことができる。【解決手段】広告管理サーバ２００は、各情報提供サーバ１００それぞれが情報表示端末３００に一般記事の全文を表示させる際の当該一般記事の全文の構成となる各テンプレートが記憶されるデータベース２４０と、広告記事の全文が記憶されるデータベース２２０と、情報表示端末３００に表示した一覧から広告記事の要約が選択されると、当該広告記事の要約に対応する当該広告記事の全文をデータベース２２０から取得しかつ当該情報表示端末３００に当該一覧を表示させた情報提供サーバ１００に対応するテンプレートをデータベース２４０から取得し、取得したこれらを基に情報表示端末３００に当該広告記事の全文を表示する広告記事全文表示用情報を作成する広告記事全文作成部２５１と、広告記事全文表示用情報を送信する通信部２０１とを有する。【選択図】図１３
2017120598.tif 000002
【特許請求の範囲】
【請求項１】
情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバであって、
前記複数の情報提供サーバそれぞれが前記情報端末の表示手段に一般記事の全文を表示させる際の当該一般記事の全文の構成となる各テンプレートが記憶される第１記憶手段と、
前記広告記事の全文が記憶される第２記憶手段と、
前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成する作成手段と、
前記作成手段が作成した広告記事全文表示用情報を送信する送信手段と、を有し、
前記情報端末は、前記送信手段から送信された前記広告記事全文表示用情報を基に、前記テンプレートに従って配置させた前記広告記事の全文を前記表示手段に表示させること
を特徴とする広告管理サーバ。
【請求項２】
前記送信手段は、前記作成手段が作成した広告記事全文表示用情報を前記情報提供サーバを介さずに前記情報端末に送信することを特徴とする請求項１に記載の広告管理サーバ。
【請求項３】
前記送信手段は、前記情報端末の表示手段に前記一覧を表示させて当該一覧から前記広告記事の要約が選択された前記情報提供サーバのＷｅｂサイトのサブドメインのものとして前記作成手段が作成した広告記事全文表示用情報を前記情報端末に送信することを特徴とする請求項１又は２に記載の広告管理サーバ。
【請求項４】
情報を表示する表示手段を備える情報端末との間で通信を行い当該情報端末に情報を提供する情報提供サーバであって、
前記情報端末の表示手段に一般記事の全文を表示させる際の当該一般記事の全文の構成となるテンプレートが記憶される第１記憶手段と、
広告記事の要約が記憶される第２記憶手段と、
複数の一般記事の要約及び全文が記憶される第３記憶手段と、
前記第３記憶手段に記憶されている複数の一般記事の要約と前記第２記憶手段に記憶されている広告記事の要約とを並べて一覧として前記情報端末の表示手段に表示させる情報である要約一覧表示用情報を作成する第１作成手段と、
前記第１作成手段が作成した要約一覧表示用情報を前記情報端末に送信する第１送信手段と、
前記情報端末にて前記要約一覧表示用情報を基に前記表示手段に表示した前記一覧から前記一般記事の要約及び前記広告記事の要約のいずれかが選択された情報である選択情報を受信する受信手段と、
前記受信手段が受信した選択情報を基に、前記広告記事の要約が選択されたと判定すると、前記広告記事の全文が記憶されている広告管理サーバに広告記事の全文を要求し取得する取得手段と、
前記受信手段が受信した選択情報を基に、前記一般記事の要約が選択されていると判定すると、当該一般記事の要約に対応する全文の記事を基に前記情報端末の表示手段に表示する情報である一般記事全文表示用情報を作成し、前記受信手段が受信した選択情報を基に、前記広告記事の要約が選択されたと判定すると、前記第１記憶手段に記憶されている前記テンプレートに従って前記取得手段が取得した広告記事の全文を基に前記情報端末の表示手段に当該広告記事の全文を表示する情報である広告記事全文表示用情報を作成する第２作成手段と、
前記第２作成手段が作成した一般記事全文表示用情報又は広告記事全文表示用情報を前記情報端末に送信する第２送信手段と、
を有することを特徴とする情報提供サーバ。
【請求項５】
情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバを用いた広告管理方法であって、
前記複数の情報提供サーバそれぞれが前記情報端末の表示手段に一般記事の全文を表示させる際の当該一般記事の全文の構成となる各テンプレートを第１記憶手段に記憶させ、かつ前記広告記事の全文を第２記憶手段に記憶させる記憶工程と、
前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成する作成工程と、
前記作成工程にて作成した広告記事全文表示用情報を送信する送信工程と、を有し、
前記情報端末は、前記送信手段から送信された前記広告記事全文表示用情報を基に、前記テンプレートに従って配置させた前記広告記事の全文を前記表示手段に表示させること
を特徴とする広告管理方法。
【請求項６】
情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバのコンピュータのプログラムであって、
前記広告管理サーバは、前記複数の情報提供サーバそれぞれが前記情報端末の表示手段に一般記事の全文を表示させる際の当該一般記事の全文の構成となる各テンプレートが記憶される第１記憶手段と、前記広告記事の全文が記憶される第２記憶手段と、を有し、
前記情報端末は、前記広告管理サーバから送信された広告記事全文表示用情報を基に、前記テンプレートに従って配置させた前記広告記事の全文を前記表示手段に表示させており、
作成手段が、前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成し、
送信手段が、前記作成手段が作成した広告記事全文表示用情報を送信すること、
をコンピュータに実行させるプログラム。
【発明の詳細な説明】
【技術分野】
【０００１】
本発明は、情報表示端末に広告を提供する技術に関する。
【背景技術】
【０００２】
特許文献１には、文章特徴を基に広告を作成する技術が開示されている。
【先行技術文献】
【特許文献】
【０００３】
【特許文献１】特表２０１１−５１９４４４
【発明の概要】
【発明が解決しようとする課題】
【０００４】
本発明の目的は、情報端末の使用者が、表示部に表示された広告記事の全文を一般記事の全文と同様な感覚で読むことができるにすることである。
【課題を解決するための手段】
【０００５】
本発明の第１の態様は、情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバであって、前記複数の情報提供サーバそれぞれが前記情報端末の表示手段に一般記事の全文を表示させる際の当該一般記事の全文の構成となる各テンプレートが記憶される第１記憶手段と、前記広告記事の全文が記憶される第２記憶手段と、前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成する作成手段と、前記作成手段が作成した広告記事全文表示用情報を送信する送信手段と、を有し、前記情報端末は、前記送信手段から送信された前記広告記事全文表示用情報を基に、前記テンプレートに従って配置させた前記広告記事の全文を前記表示手段に表示させることを特徴とする広告管理サーバである。
【０００６】
本発明の第２の態様では、前記送信手段は、前記作成手段が作成した広告記事全文表示用情報を前記情報提供サーバを介さずに前記情報端末に送信することが好ましい。
【０００７】
本発明の第３の態様では、前記送信手段は、前記情報端末の表示手段に前記一覧を表示させて当該一覧から前記広告記事の要約が選択された前記情報提供サーバのＷｅｂサイトのサブドメインのものとして前記作成手段が作成した広告記事全文表示用情報を前記情報端末に送信することが好ましい。
【０００８】
本発明の第４の態様は、情報を表示する表示手段を備える情報端末との間で通信を行い当該情報端末に情報を提供する情報提供サーバであって、前記情報端末の表示手段に一般記事の全文を表示させる際の当該一般記事の全文の構成となるテンプレートが記憶される第１記憶手段と、広告記事の要約が記憶される第２記憶手段と、複数の一般記事の要約及び全文が記憶される第３記憶手段と、前記第３記憶手段に記憶されている複数の一般記事の要約と前記第２記憶手段に記憶されている広告記事の要約とを並べて一覧として前記情報端末の表示手段に表示させる情報である要約一覧表示用情報を作成する第１作成手段と、前記第１作成手段が作成した要約一覧表示用情報を前記情報端末に送信する第１送信手段と、前記情報端末にて前記要約一覧表示用情報を基に前記表示手段に表示した前記一覧から前記一般記事の要約及び前記広告記事の要約のいずれかが選択された情報である選択情報を受信する受信手段と、前記受信手段が受信した選択情報を基に、前記広告記事の要約が選択されたと判定すると、前記広告記事の全文が記憶されている広告管理サーバに広告記事の全文を要求し取得する取得手段と、前記受信手段が受信した選択情報を基に、前記一般記事の要約が選択されていると判定すると、当該一般記事の要約に対応する全文の記事を基に前記情報端末の表示手段に表示する情報である一般記事全文表示用情報を作成し、前記受信手段が受信した選択情報を基に、前記広告記事の要約が選択されたと判定すると、前記第１記憶手段に記憶されている前記テンプレートに従って前記取得手段が取得した広告記事の全文を基に前記情報端末の表示手段に当該広告記事の全文を表示する情報である広告記事全文表示用情報を作成する第２作成手段と、前記第２作成手段が作成した一般記事全文表示用情報又は広告記事全文表示用情報を前記情報端末に送信する第２送信手段と、を有することを特徴とする情報提供サーバである。
【０００９】
本発明の第５の態様は、情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバを用いた広告管理方法であって、前記複数の情報提供サーバそれぞれが前記情報端末の表示手段に一般記事の全文を表示させる際の当該一般記事の全文の構成となる各テンプレートを第１記憶手段に記憶させ、かつ前記広告記事の全文を第２記憶手段に記憶させる記憶工程と、前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成する作成工程と、前記作成工程にて作成した広告記事全文表示用情報を送信する送信工程と、を有し、前記情報端末は、前記送信手段から送信された前記広告記事全文表示用情報を基に、前記テンプレートに従って配置させた前記広告記事の全文を前記表示手段に表示させることを特徴とする広告管理方法である。
【００１０】
本発明の第６の態様は、情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバのコンピュータのプログラムであって、前記広告管理サーバは、前記複数の情報提供サーバそれぞれが前記情報端末の表示手段に一般記事の全文を表示させる際の当該一般記事の全文の構成となる各テンプレートが記憶される第１記憶手段と、前記広告記事の全文が記憶される第２記憶手段と、を有し、前記情報端末は、前記広告管理サーバから送信された広告記事全文表示用情報を基に、前記テンプレートに従って配置させた前記広告記事の全文を前記表示手段に表示させており、作成手段が、前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成し、送信手段が、前記作成手段が作成した広告記事全文表示用情報を送信すること、をコンピュータに実行させるプログラムである。
【発明の効果】
【００１１】
本発明の前記第１、４、５，６の態様によれば、一般記事の要約と広告記事の要約とを並べた一覧が情報端末の表示手段に表示されて、一覧から一般記事の要約及び広告記事の要約のいずれかが選択されて一般記事の全文又は広告記事の全文が情報端末の表示手段に表示される場合でも、一般記事の全文の構成と同様なテンプレートに従って広告記事全文表示用情報が作成されることによって、広告記事の全文は、一般記事の全文と同様な構成として情報端末の表示手段に表示される。
これによって、情報端末の使用者は、表示手段に表示された広告記事の全文を一般記事の全文と同様な感覚で読むことができる。
【００１２】
本発明の前記第２の態様によれば、広告記事全文表示用情報が情報提供サーバを介さずに情報端末に送信されることで、広告記事全文表示用情報そのものや広告記事全文表示用情報を作成するための情報を情報提供サーバ側で記憶しておく必要がなくなるため、情報提供サーバのメモリ資源が有効活用されるようになる。
【００１３】
本発明の前記第３の態様によれば、広告管理サーバが提供する広告記事の全文が、情報端末の使用者に情報提供サーバのｗｅｂサイトが提供するものとして認識されるようになる。
【図面の簡単な説明】
【００１４】
【図１】図１は、広告情報提供システムの構成例を示すブロック図である。
【図２】図２は、情報提供サーバの構成例を示すブロック図である。
【図３】図３は、記憶部の構成例を示すブロック図である。
【図４】図４は、一般記事管理データベースの一例を示す図である。
【図５】図５は、一般記事全文情報が含む各種の情報の一例を示す図である。
【図６】図６は、一般記事要約情報が含む各種の情報の一例を示す図である。
【図７】図７は、広告記事管理データベースの一例を示す図である。
【図８】図８は、広告記事要約情報が含む各種の情報の一例を示す図である。
【図９】図９は、処理部の構成例を示すブロック図である。
【図１０】図１０は、一般記事全文作成処理の一例を示すフローチャートである。
【図１１】図１１は、広告記事全文作成要求処理の一例を示すフローチャートである。
【図１２】図１２は、広告管理サーバの構成例を示すブロック図である。
【図１３】図１３は、記憶部の構成例を示すブロック図である。
【図１４】図１４は、広告記事管理データベースの一例を示す図である。
【図１５】図１５は、広告記事要約情報が含む各種の情報の一例を示す図である。
【図１６】図１６は、広告記事全文情報が含む各種の情報の一例を示す図である。
【図１７】図１７は、広告管理情報が含む各種の情報の一例を示す図である。
【図１８】図１８は、広告設定情報が含む各種の情報の一例を示す図である。
【図１９】図１９は、記事サイト管理データベースの一例を示す図である。
【図２０】図２０は、サイト表示形式管理データベースの一例を示す図である。
【図２１】図２１は、広告記事全文作成処理の一例を示すフローチャートである。
【図２２】図２２は、テンプレートの一例を説明する図である。
【図２３】図２３は、情報表示端末の構成例を示すブロック図である。
【図２４】図２４は、処理部の構成例を示すブロック図である。
【図２５】図２５は、要約一覧表示処理の一例を示すフローチャートである。
【図２６】図２６は、情報表示端末の表示部に表示される記事の要約の一覧の一例を示す図である。
【図２７】図２７は、一般記事全文表示処理の一例を示すフローチャートである。
【図２８】図２８は、広告記事全文表示処理の一例を示すフローチャートである。
【図２９】図２９は、広告情報提供システムにおける処理を含めた一連の流れを示す図である。
【図３０】図３０は、情報表示端末の表示部に表示される記事の要約の一覧の一例を示す図である。
【図３１】図３１は、記事の全文の一例を示す図であり、（ａ）は本実施形態によって情報表示端末に表示される一般記事の全文を示し、（ｂ）は本実施形態によって情報表示端末に表示される広告記事の全文を示し、（ｃ）は従来の情報表示端末に表示される広告記事の全文を示す図である。
【図３２】図３２は、図３１（ａ）に示す一般記事の全文の一部詳細を示す図である。
【図３３】図３３は、図３１（ａ）に示す一般記事の全文の一部詳細を示す図である。
【図３４】図３４は、図３１（ａ）に示す一般記事の全文の一部詳細を示す図である。
【図３５】図３５は、図３１（ａ）に示す一般記事の全文の一部詳細を示す図である。
【図３６】図３６は、図３１（ａ）に示す一般記事の全文の一部詳細を示す図である。
【図３７】図３７は、図３１（ａ）に示す一般記事の全文の一部詳細を示す図である。
【図３８】図３８は、図３１（ａ）に示す一般記事の全文の一部詳細を示す図である。
【図３９】図３９は、図３１（ａ）に示す一般記事の全文の一部詳細を示す図である。
【図４０】図４０は、図３１（ａ）に示す一般記事の全文の一部詳細を示す図である。
【図４１】図４１は、図３１（ａ）に示す一般記事の全文の一部詳細を示す図である。
【図４２】図４２は、図３１（ａ）に示す一般記事の全文の一部詳細を示す図である。
【図４３】図４３は、図３１（ｂ）に示す広告記事の全文の一部詳細を示す図である。
【図４４】図４４は、図３１（ｂ）に示す広告記事の全文の一部詳細を示す図である。
【図４５】図４５は、図３１（ｂ）に示す広告記事の全文の一部詳細を示す図である。
【図４６】図４６は、図３１（ｂ）に示す広告記事の全文の一部詳細を示す図である。
【図４７】図４７は、図３１（ｂ）に示す広告記事の全文の一部詳細を示す図である。
【図４８】図４８は、図３１（ｂ）に示す広告記事の全文の一部詳細を示す図である。
【図４９】図４９は、図３１（ｂ）に示す広告記事の全文の一部詳細を示す図である。
【図５０】図５０は、図３１（ｂ）に示す広告記事の全文の一部詳細を示す図である。
【図５１】図５１は、図３１（ｃ）に示す従来の広告記事の全文の一部詳細を示す図である。
【図５２】図５２は、図３１（ｃ）に示す従来の広告記事の全文の一部詳細を示す図である。
【図５３】図５３は、図３１（ｃ）に示す従来の広告記事の全文の一部詳細を示す図である。
【図５４】図５４は、図３１（ｃ）に示す従来の広告記事の全文の一部詳細を示す図である。
【図５５】図５５は、図３１（ｃ）に示す従来の広告記事の全文の一部詳細を示す図である。
【図５６】図５６は、図３１（ｃ）に示す従来の広告記事の全文の一部詳細を示す図である。
【発明を実施するための形態】
【００１５】
本発明の実施形態を図面を参照しつつ説明する。
本実施形態では、広告情報提供システムを挙げている。
（全体構成等）
図１は、広告情報提供システム１の構成例を示すブロック図である。
図１に示すように、広告情報提供システム１は、複数の情報提供サーバ１００、広告管理サーバ２００、及び複数の情報表示端末３００を有している。
【００１６】
この広告情報提供システム１では、各情報提供サーバ１００、広告管理サーバ２００、及び各情報表示端末３００は、通信ネットワーク４００を介して通信可能に接続されている。通信ネットワーク４００は、例えば、ＴＣＰ／ＩＰ（Transmission Control Protocol/Internet Protocol）などの所定の通信プロトコルに基づいて通信する、インターネットや、公衆回線、専用回線などから構成される。
【００１７】
ところで、近年、広告情報提供システムには、一般の使用者が有する情報表示端末に、ＳＮＳやブログ、ニュース等の一般記事の要約（概要）となる、いわゆるフィードを一覧として表示するものがある。そして、そのような一般記事の要約の一覧に広告の要約（広告フィードともいう。）を入れ込む広告方式がある。例えば、この広告方式は、「インフィード広告」（登録商標）とも言われる。この広告方式では、情報表示端末の表示部に表示されたＳＮＳやブログ、ニュース等の一般記事の要約（一般記事フィードともいう。）と広告の要約とによって構成された要約一覧（フィード一覧ともいう。）中から広告の要約が使用者によって選択操作されると、情報表示端末の表示部に広告の全文を表示させている。ここで、選択操作としては、画面をタッチして選択するものやマウスによって選択するもの等がある。一方、情報表示端末の表示部に表示された要約一覧中から一般記事の要約が使用者によって選択操作されると、情報表示端末の表示部に写真等の画像と文章とを含む一般記事の全文を表示させている。
【００１８】
このようなこれまでの広告情報提供システムに対して、本実施形態にかかる広告情報提供システム１では、情報表示端末３００において表示させた要約一覧中から広告の要約が使用者によって選択操作されると、一般記事の要約が選択操作された際に情報表示端末３００にて表示させる一般記事全文と同様のデザイン又はフレームとなるように広告全文を表示させる。具体的には、一般記事全文の構成と同様なテンプレートを用いて広告全文を表示させる。
【００１９】
以下に、そのような技術を実現する本実施形態の広告情報提供システム１の各部構成の詳細を説明する。
図２は、情報提供サーバ１００の構成例を示すブロック図である。
図２に示すように、情報提供サーバ１００は、通信部１０１、記憶部１１０、及び処理部１４０を有している。ここで、通信部１０１は、モデム等であって、通信ネットワーク４００を介して他の装置との間で通信を行う。記憶部１１０は、ＨＤＤ等であって、各種データや各種プログラムが記憶されている。処理部１４０は、情報提供サーバ１００における各種処理を実行する。処理部１４０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部１４０は、必要に応じて、記憶部１１０に記憶されている各種データや各種プログラムに従って各種処理を実行する。
【００２０】
図３は、記憶部１１０の構成例を示すブロック図である。
図３に示すように、記憶部１１０には、一般記事管理データベース１２０、及び広告記事管理データベース１３０が記憶されている。
【００２１】
図４は、一般記事管理データベース１２０の一例を示す図である。
図４に示すように、一般記事管理データベース１２０は、一般記事ＩＤ１２１、記事サイトＩＤ１２２、一般記事全文情報１２３、及び一般記事要約情報１２４を含んでいる。ここで、一般記事ＩＤ１２１は、一般記事の識別情報である。記事サイトＩＤ１２２は、一般記事を表示するサイトの識別情報である。記事サイトＩＤ１２２には、例えば、当該サイトのドメインの情報が含まれている。一般記事管理データベース１２０では、これら一般記事ＩＤ１２１、記事サイトＩＤ１２２、一般記事全文情報１２３、及び一般記事要約情報１２４が対応付けられている。
【００２２】
図５は、一般記事全文情報１２３が含む各種の情報の一例を示す図である。
図５に示すように、一般記事全文情報１２３は、一般記事全文用文章１２３ａ、及び一般記事全文用画像１２３ｂを含んでいる。ここで、一般記事全文用文書１２３ａは、ＳＮＳやブログ、ニュース等の一般記事の全文の文章である。一般記事全文用画像１２３ｂは、一般記事の全文の文章中に挿入する、又は一般記事の全文の文章と並べて表示する写真等の画像である。
【００２３】
図６は、一般記事要約情報１２４が含む各種の情報の一例を示す図である。
図６に示すように、一般記事要約情報１２４は、一般記事の要約の文章（以下、一般記事要約用文章という。）１２４ａ、及び一般記事の要約の文章中に挿入する、又は一般記事の要約の文章と並べて表示する写真等の画像（以下、一般記事要約用画像という。）１２４ｂを含んでいる。
【００２４】
図７は、広告記事管理データベース１３０の一例を示す図である。
図７に示すように、広告記事管理データベース１３０は、広告記事ＩＤ１３１、広告記事要約情報１３２、及び広告表示管理情報１３３を含んでいる。ここで、広告記事ＩＤ１３１は、広告記事（又は広告記事の要約）の識別情報である。広告表示管理情報１３３は、要約一覧中における広告記事の要約の表示位置等を管理する情報である。広告記事管理データベース１３０では、これら広告記事ＩＤ１３１、広告記事要約情報１３２、及び広告表示管理情報１３３が対応付けられている。
【００２５】
図８は、広告記事要約情報１３２が含む各種の情報の一例を示す図である。
図８に示すように、広告記事要約情報１３２は、広告記事の要約の文章（以下、広告記事要約用文章という。）１３２ａ、及び広告記事の要約の文章中に挿入する、又は広告記事の要約の文章と並べて表示する写真等の画像（以下、広告記事要約用画像という。）１３２ｂを含んでいる。
【００２６】
図９は、処理部１４０の構成例を示すブロック図である。
図９に示すように、処理部１４０は、要約一覧作成部１４１、一般記事全文作成部１４２、及び広告記事全文作成要求部１４３を有している。
ここで、要約一覧作成部１４１は、一般記事の要約と広告記事の要約とを一覧として情報表示端末３００にて表示するための情報である要約一覧表示用情報を作成する。具体的には、要約一覧表示用情報は、上下方向に並ぶ複数の横長の長方形の枠内（以下、表示枠という。）それぞれに一般記事の要約を表示するとともに、一部の表示枠に広告記事の要約の表示するための情報となる。
【００２７】
このとき、要約一覧表示用情報における一般記事の要約の情報は、一般記事管理データベース１２０に記憶されている一般記事要約用文章１２４ａと、一般記事管理データベース１２０に記憶されている一般記事要約用画像１２４ｂとを用いて作成される。この一般記事の要約の情報には、一般記事ＩＤ１２１が含まれる。この要約一覧表示用情報における一般記事の要約の情報によって、一般記事の要約は、情報表示端末３００にて、要約一覧中に文章と画像とで表示される。
【００２８】
また、要約一覧表示用情報における広告記事の要約の情報は、広告記事管理データベース１３０に記憶されている広告記事要約用文章１３２ａと、広告記事管理データベース１３０に記憶されている広告記事要約用画像１３２ｂとを用いて作成される。この広告記事の要約の情報には、広告記事ＩＤ１３１が含まれる。また、要約一覧作成部１４１は、広告表示管理情報１３３を基に、要約一覧における広告記事の要約の表示位置を決める。これによって、広告記事の要約は、情報表示端末３００にて、要約一覧中の所定の位置に、文章と画像とで表示される。
【００２９】
この要約一覧表示用情報は、要約一覧作成部１４１が、情報表示端末３００から一般記事の要約を表示する要求である要約一覧表示要求があったと判定すると、例えば、情報表示端末３００にて一般記事の要約を表示するサイトへのアクセスがあったと判定すると、当該情報表示端末３００に送信される。
【００３０】
一般記事全文作成部１４２は、一般記事の全文を情報表示端末３００にて表示するための情報である一般記事全文表示用情報を作成する。具体的には、一般記事全文表示用情報は、一般記事管理データベース１２０に記憶されている一般記事全文用文章１２３ａと、一般記事管理データベース１２０に記憶されている一般記事全文用画像１２３ｂとを用いて作成される。この一般記事全文表示用情報によって、一般記事の全文は、情報表示端末３００にて、文章と画像とで表示される。
【００３１】
一般記事全文作成部１４２は、情報表示端末３００にて表示した要約一覧から一般記事の要約が選択されて情報表示端末３００からの一般記事の全文の表示要求である一般記事全文表示要求（一般記事ＩＤ１２１が含まれている。）を受信すると、一般記事全文作成処理によって、当該一般記事の要約に対応する一般記事の全文の一般記事全文表示用情報を当該情報表示端末３００に送信する。
【００３２】
また、広告記事全文作成部１４３は、情報表示端末３００にて表示した要約一覧から広告記事の要約が選択されて情報表示端末３００からの広告記事の全文の表示要求である広告記事全文表示要求を受信すると、広告記事全文作成要求処理によって、記事サイトＩＤ１２２及び当該広告記事の要約に対応する広告記事ＩＤ１３１を含めた広告記事全文作成要求を広告管理サーバ２００に送信する。
【００３３】
図１０は、一般記事全文作成処理の一例を示すフローチャートである。
図１０に示すように、先ずステップＳ１１の処理として、一般記事全文作成部１４２は、情報表示端末３００からの一般記事全文表示要求を受信したか否かを判定する。一般記事全文作成部１４２は、一般記事全文表示要求を受信したと判定したときにステップＳ１２の処理に進む。
【００３４】
ステップＳ１２の処理として、一般記事全文作成部１４２は、ステップＳ１１の処理によって取得した一般記事全文表示要求に含まれている一般記事ＩＤ１２１を基に、一般記事管理データベース１２０を参照して一般記事全文情報１２３（一般記事全文用文章１２３ａ及び一般記事全文用画像１２３ｂ）を取得する。
【００３５】
続くステップＳ１３の処理として、一般記事全文作成部１４２は、ステップＳ１２の処理によって取得した一般記事全文情報１２３を基に、情報表示端末３００にて選択された一般記事の要約に対応する一般記事の全文の一般記事全文表示用情報を作成する。
【００３６】
続くステップＳ１４の処理として、一般記事全文作成部１４２は、ステップＳ１３の処理によって作成した一般記事全文表示用情報を情報表示端末３００に送信する。
【００３７】
図１１は、広告記事全文作成要求処理の一例を示すフローチャートである。
図１１に示すように、先ずステップＳ３１の処理として、広告記事全文作成要求部１４３は、情報表示端末３００からの広告記事全文表示要求を受信したか否かを判定する。広告記事全文作成要求部１４３は、広告記事全文表示要求を受信したと判定したときにステップＳ３２の処理に進む。
【００３８】
ステップＳ３２の処理として、広告記事全文作成要求部１４３は、ステップＳ３１の処理によって取得した一般記事全文表示要求に含まれている広告記事ＩＤ１３１を取得する。
続くステップＳ３３の処理として、広告記事全文作成要求部１４３は、記事サイトＩＤ１２２とステップＳ３２の処理によって取得した広告記事ＩＤ１３１を含めた広告記事全文作成要求を広告管理サーバ２００に送信する。
【００３９】
図１に示すように、広告管理サーバ２００は、例えば、広告管理会社によって運営されている。広告管理会社では、各広告主Ｘ，Ｙ，Ｚ，・・・から広告を提供するための情報を取得し、その情報を広告管理サーバ２００に記憶させている。広告を提供するための情報としては、広告主に関する情報、広告記事の情報等である。
【００４０】
図１２は、広告管理サーバ２００の構成例を示すブロック図である。
図１２に示すように、広告管理サーバ２００は、通信部２０１、記憶部２１０、及び処理部２５０を有している。ここで、通信部２０１は、モデム等であって、通信ネットワーク４００を介して他の装置との間で通信を行う。記憶部２１０は、ＨＤＤ等であって、各種データや各種プログラムが記憶されている。処理部２５０は、広告管理サーバ２００における各種処理を実行する。処理部２５０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部２５０は、必要に応じて、記憶部２１０に記憶されている各種データや各種プログラムに従って各種処理を実行する。
【００４１】
図１３は、記憶部２１０の構成例を示すブロック図である。
図１３に示すように、記憶部２１０には、広告記事管理データベース２２０、記事サイト管理データベース２３０、及びサイト表示形式管理データベース２４０が記憶されている。
【００４２】
ここで、広告記事管理データベース２２０は、広告記事に関する情報を含んでいる。記事サイト管理データベース２３０は、記事サイトに関する情報を含んでいる。サイト表示形式管理データベース２４０は、記事サイトのサイト表示形式の情報を含んでいる。すなわち、記事サイトにおいて、一般記事の全文は、文章や画像の配置、大きさ等の記事全体の構成（表示形式ともいう。）が予め決められており、記事サイトのサイト表示形式の情報は、そのような構成となるテンプレート（表示テンプレート、表示フォーム、表示フォーマット等と呼ばれることもある。）の情報である。
【００４３】
図１４は、広告記事管理データベース２２０の一例を示す図である。
図１４に示すように、広告記事管理データベース２２０は、広告記事ＩＤ２２１、広告記事要約情報２２２、広告記事全文情報２２３、広告管理情報２２４、及び広告設定情報２２５を含んでいる。広告記事管理データベース２２０では、これら広告記事ＩＤ２２１、広告記事要約情報２２２、広告記事全文情報２２３、広告管理情報２２４、及び広告設定情報２２５が対応付けられている。ここで、広告記事ＩＤ２２１は、情報提供サーバ１００の広告記事管理データベース１３０に記憶されている広告記事ＩＤ１３１と同じ情報である。
【００４４】
図１５は、広告記事要約情報２２２が含む各種の情報の一例を示す図である。
図１５に示すように、広告記事要約情報２２２は、広告記事要約用文章２２２ａ及び広告記事要約用画像２２２ｂを含んでいる。この広告記事要約情報２２２は、情報提供サーバ１００の広告記事管理データベース１３０に記憶されている広告記事要約情報１３２と同じ情報である。
【００４５】
図１６は、広告記事全文情報２２３が含む各種の情報の一例を示す図である。
図１６に示すように、広告記事全文情報２２３は、広告記事全文用文章２２３ａ及び広告記事全文用画像２２３ｂを含んでいる。ここで、広告記事全文用文章２２３ａは、広告記事の全文の文章である。広告記事全文用画像２２３ｂは、広告記事の全文の文章中に挿入する、又は広告記事の全文の文章と並べて表示する写真等の画像である。
【００４６】
図１７は、広告管理情報２２４が含む各種の情報の一例を示す図である。
図１７に示すように、広告管理情報２２４は、広告主の名称２２４ａ、連絡先２２４ｂ等の広告主に関する情報を含んでいる。
図１８は、広告設定情報２２５が含む各種の情報の一例を示す図である。
図１８に示すように、広告設定情報２２５は、広告を出すスケジュール２２５ａや広告を出す予算２２５ｂ等の広告活動に関する情報を含んでいる。
【００４７】
図１９は、記事サイト管理データベース２３０の一例を示す図である。
図１９に示すように、記事サイト管理データベース２３０は、記事サイトＩＤ２３１及び表示管理情報２３２を含んでいる。記事サイト管理データベース２３０では、これら記事サイトＩＤ２３１及び表示管理情報２３２が対応付けられている。ここで、記事サイトＩＤ２３１は、情報提供サーバ１００の一般記事管理データベース１２０に記憶されている記事サイトＩＤ１２２と同じ情報である。
【００４８】
図２０は、サイト表示形式管理データベース２４０の一例を示す図である。
図２０に示すように、サイト表示形式管理データベース２４０は、記事サイトＩＤ２４１及び当該記事サイトのテンプレート情報（テンプレートα，β，γ，・・・）２４２を含んでいる。サイト表示形式管理データベース２４０では、これら記事サイトＩＤ２４１及びテンプレート情報２４２が対応付けられている。ここで、記事サイトＩＤ２４１は、情報提供サーバ１００の一般記事管理データベース１２０に記憶されている記事サイトＩＤ１２２と同じ情報である。
【００４９】
また、図１２に示すように、処理部２５０は、広告記事全文作成部２５１を有している。広告記事全文作成部２５１は、広告記事全文作成処理によって、情報提供サーバ１００から広告記事全文作成要求があったときに広告記事の全文を作成し、作成した広告記事の全文を直接、携帯表示端末３００に送信する。
【００５０】
図２１は、広告記事全文作成処理の一例を示すフローチャートである。
図２１に示すように、先ずステップＳ５１の処理として、広告記事全文作成部２５１は、情報提供サーバ１００からの広告記事全文作成要求を受信したか否かを判定する。広告記事全文作成部２５１は、広告記事全文作成要求を受信したときにステップＳ５２に進む。
【００５１】
ステップＳ５２の処理として、広告記事全文作成部２５１は、ステップＳ５１の処理によって受信した広告記事全文作成要求に含まれている記事サイトＩＤ１２２及び広告記事ＩＤ１３１を読み取る。
続くステップＳ５３の処理として、広告記事全文作成部２５１は、広告記事管理データベース２２０を参照し、ステップＳ５２の処理によって読み取った広告記事ＩＤ１３１に対応する広告記事全文情報２２３（広告記事全文用文章２２３ａ及び広告記事全文用画像２２３ｂ）を取得する。
【００５２】
続くステップＳ５４の処理として、広告記事全文作成部２５１は、サイト表示形式管理データベース２４０を参照し、ステップＳ５２の処理によって読み取った記事サイトＩＤ１２２に対応するテンプレートを取得する。
続くステップＳ５５の処理として、広告記事全文作成部２５１は、ステップＳ５３の処理によって取得した広告記事全文情報２２３、及びステップＳ５４の処理によって取得したテンプレートを基に、広告記事の全文を情報表示端末３００にて表示するための情報である広告記事全文表示用情報を作成する。具体的には、広告記事全文表示用情報は、広告記事全文情報２２３に含まれている広告記事全文用文章２２３ａと、広告記事全文情報２２３に含まれている広告記事全文用画像２２３ｂとを用いて作成される。このとき、広告記事全文作成部２５１は、テンプレートを用いることで、予め設定された表示形式によって広告記事の全文が情報表示端末３００にて表示されるように広告記事全文表示用情報を作成する。すなわち、広告記事全文作成部２５１は、広告記事全文表示用情報によって情報表示端末３００にて一般記事が表示される構成と同様の構成で情報表示端末３００にて広告記事の全文も表示されるように広告記事全文表示用情報を作成する。
【００５３】
続くステップＳ５６の処理として、広告記事全文作成部２５１は、ステップＳ５５の処理によって作成した広告記事全文表示用情報を情報表示端末３００に送信する。この際、広告記事全文作成部２５１は、ステップＳ５１の処理によって受信した広告記事全文作成要求を送信してきた情報提供サーバ１００のＷｅｂサイトのサブドメインのものとして広告記事全文表示用情報を情報表示端末３００に送信する。
【００５４】
図２２は、テンプレートの一例を説明する図である。
図２２に示すように、例えば、テンプレートは、ＨＴＭＬ（HyperText Markup Language）で記述されており、大見出、中見出、小見出、同一カテゴリの記事表示などといった枠組みで記事全体を作り込むための構成からなる。このようなテンプレートが、情報提供サーバ１００（記事サイト）毎に応じた構成となって用意されている。
【００５５】
図２３は、情報表示端末３００の構成例を示すブロック図である。
図２３に示すように、情報表示端末３００は、デスクトップ型、ラップトップ型、ノートブック型、タブレット、スマートフォン等のパーソナルコンピュータであり、入力部３０１、表示部３０２、通信部３０３、記憶部３０４、及び処理部３１０を有している。
【００５６】
ここで、入力部３０１は、キーボードやマウス等であって、操作者によって操作されて情報が入力される。表示部３０２は、モニター等であって、情報を表示する。例えば、情報表示端末３００がタブレット、スマートフォン等の場合、そのタッチパネルが入力部３０１及び表示部３０２として機能する。通信部３０３は、モデム等であって、通信ネットワーク４００を介して他の装置との間で通信を行う。記憶部３０４は、ＨＤＤ（Hard Disc Drive）等であって、各種データや各種プログラムが記憶されている。
【００５７】
処理部３１０は、情報表示端末３００における各種処理を実行する。処理部３１０は、例えば、マイクロコンピュータ及びその周辺回路を備え、例えば、ＣＰＵ、ＲＯＭ（Read Only Memory）、ＲＡＭ（Random Access Memory）等によって構成されている。ＲＯＭには、１又は２以上のプログラムが格納されている。ＣＰＵは、ＲＯＭに格納されている１又は２以上のプログラムに従って各種処理を実行する。そして、処理部３１０は、必要に応じて、記憶部３０４に記憶されている各種データや各種プログラムに従って各種処理を実行する。例えば、処理部３１０は、入力部３０１によって入力された情報に基づく処理を実行したり、表示部３０２に情報を表示する処理を実行したり、通信部３０３によって通信を行う処理を実行したりする。
【００５８】
図２４は、処理部３１０の構成例を示すブロック図である。
図２４に示すように、処理部３１０は、要約一覧表示部３１１、一般記事全文表示部３１２、及び広告記事全文表示部３１３を有している。ここで、要約一覧表示部３１１は、要約一覧表示処理によって、一般記事の要約と広告記事の要約を一覧として表示部３０２に表示する。一般記事全文表示部３１２は、一般記事全文表示処理によって、一般記事の全文を表示部３０２に表示する。広告記事全文表示部３１３は、広告記事全文表示処理によって、広告記事の全文を表示部３０２に表示する。
【００５９】
図２５は、要約一覧表示処理の一例を示すフローチャートである。
図２５に示すように、先ずステップＳ７１の処理として、要約一覧表示部３１１は、入力部３０１から記事の一覧の要約を表示する要求の入力があったか否かを判定する。要約一覧表示部３１１は、例えば、記事の要約を表示するサイトにアクセスしたか否かを判定する。要約一覧表示部３１１は、入力部３０１から記事の一覧を表示する要求の入力があったと判定したときにステップＳ７２に進む。
【００６０】
ステップＳ７２の処理として、要約一覧表示部３１１は、要約一覧表示要求を情報提供サーバ１００に送信する。
ステップＳ７３の処理として、要約一覧表示部３１１は、ステップＳ７２の処理によって送信した要約一覧表示要求に対応する情報提供サーバ１００からの要約一覧表示用情報を受信したか否かを判定する。要約一覧表示部３１１は、要約一覧表示用情報を受信したときにステップＳ７４に進む。
【００６１】
ステップＳ７４の処理として、要約一覧表示部３１１は、ステップＳ７３の処理によって受信した要約一覧表示用情報を基に、一般記事の要約と広告記事の要約とを一覧として表示部３０２に表示する。
【００６２】
図２６は、表示部３０２に表示される記事の要約の一覧の一例を示す図である。
図２６に示すように、各一般記事Ａ〜Ｇ３０２ａ〜３０２ｇの要約が、上下方向に並ぶ複数の横長の長方形の枠内に表示されて、各一般記事Ａ〜Ｇ３０２ａ〜３０２ｇの要約が文章と画像とで構成されている。そして、広告記事の要約３０２ｚが、横長の長方形の枠内に表示されて、各一般記事Ａ〜Ｇ３０２ａ〜３０２ｇの一覧内に入れ込まれている。そして、広告記事の要約３０２ｚも、文章と画像とで構成されている。
【００６３】
図２７は、一般記事全文表示処理の一例を示すフローチャートである。
図２７に示すように、先ずステップＳ９１の処理として、一般記事全文表示部３１２は、表示部３０２に表示した要約の一覧に対して、入力部３０１から一般記事の要約を選択する入力があったか否かを判定する。一般記事全文表示部３１２は、入力部３０１から一般記事の要約を選択する入力があったと判定したときにステップＳ９２に進む。
【００６４】
ステップＳ９２の処理として、一般記事全文表示部３１２は、一般記事全文表示要求を情報提供サーバ１００に送信する。この一般記事全文表示要求には、ステップＳ９１において選択された一般記事の一般記事ＩＤが含まれている。
続くステップＳ９３の処理として、一般記事全文表示部３１２は、ステップＳ９２の処理によって送信した一般記事全文表示要求に対応する情報提供サーバ１００からの一般記事全文表示用情報を受信したか否かを判定する。一般記事全文表示部３１２は、一般記事全文表示用情報を受信したときにステップＳ９４に進む。
【００６５】
ステップＳ９４の処理として、一般記事全文表示部３１２は、ステップＳ９３の処理によって受信した一般記事全文表示用情報を基に、一般記事の全文を表示部３０２に表示する。
【００６６】
図２８は、広告記事全文表示処理の一例を示すフローチャートである。
図２８に示すように、先ずステップＳ１１１の処理として、広告記事全文表示部３１３は、表示部３０２に表示した要約の一覧に対して、入力部３０１から広告記事の要約を選択する入力があるか否かを判定する。広告記事全文表示部３１３は、入力部３０１から広告記事の要約を選択する入力があったと判定したときにステップＳ１１２に進む。
【００６７】
ステップＳ１１２の処理として、広告記事全文表示部３１３は、広告記事全文表示要求を情報提供サーバ１００に送信する。この広告記事全文表示要求には、ステップＳ１１２において選択された広告記事の広告記事ＩＤが含まれている。
【００６８】
続くステップＳ１１３の処理として、広告記事全文表示部３１３は、ステップＳ１１２の処理によって送信した広告記事全文表示要求に対応する広告管理サーバ２００からの広告記事全文表示用情報を受信したか否かを判定する。広告記事全文表示部３１３は、広告記事全文表示用情報を受信したときにステップＳ１１４に進む。
【００６９】
ステップＳ１１４の処理として、広告記事全文表示部３１３は、ステップＳ１１３の処理によって受信した広告記事全文表示用情報を基に、広告記事の全文を表示部３０２に表示する。このとき、広告記事の全文のＵＲＬ（Uniform Resource Locator）は、ステップＳ１１１の処理によって広告記事全文表示要求を送信した情報提供サーバ１００のＷｅｂサイトのサブドメインのものとして表示部３０２に表示される。
【００７０】
（動作、作用等）
図２９は、広告情報提供システム１における処理を含めた一連の流れを示す図である。図２９を用いて、以下に、広告情報提供システム１における動作、作用等の一例について説明する。
【００７１】
情報表示端末３００では、要約一覧表示部３１１は、要約一覧表示処理によって、入力部３０１から記事の要約の一覧を表示する入力があると、要約一覧表示要求を情報提供サーバ１００に送信する（ステップＳ２０１）。
情報提供サーバ１００では、要約一覧作成部１４１は、情報表示端末３００から要約一覧表示要求を受信すると、要約一覧表示用情報を作成し、作成した要約一覧表示用情報を当該情報表示端末３００に送信する（ステップＳ２０２）。
【００７２】
情報表示端末３００では、要約一覧表示部３１１は、要約一覧表示処理によって、情報提供サーバ１００からの要約一覧表示用情報を受信すると、その要約一覧表示用情報を基に、一般記事の要約と広告記事の要約とを一覧として表示部３０２に表示する（ステップＳ２０３）。
【００７３】
そして、情報表示端末３００では、一般記事全文表示部３１２は、一般記事全文表示処理によって、入力部３０１から一般記事の要約を選択する入力があると、選択された一般記事の要約に対応する一般記事全文表示要求を情報提供サーバ１００に送信する（ステップＳ２０４）。
【００７４】
情報提供サーバ１００では、一般記事全文作成部１４２は、一般記事全文作成処理によって、情報表示端末３００から一般記事全文表示要求を受信すると、一般記事全文表示要求に含まれている一般記事ＩＤ１２１を基に、情報表示端末３００にて選択された一般記事の要約に対応する一般記事全文表示用情報を作成し、作成した一般記事全文表示用情報を情報表示端末３００に送信する（ステップＳ２０５）。
【００７５】
情報表示端末３００では、一般記事全文表示部３１２は、一般記事全文表示処理によって、情報提供サーバ１００からの一般記事全文表示用情報を受信すると、その一般記事全文表示用情報を基に、一般記事の全文を表示部３０２に表示する（ステップＳ２０６）。
【００７６】
一方、情報表示端末３００では、広告記事全文表示部３１３は、広告記事全文表示処理によって、入力部３０１から広告記事の要約を選択する入力があると、選択された広告記事の要約に対応する広告記事全文表示要求を情報提供サーバ１００に送信する（ステップＳ２０７）。
【００７７】
情報提供サーバ１００では、広告記事全文作成要求部１４３は、広告記事全文作成要求処理によって、記事サイトＩＤ１２２と広告記事全文表示要求に含まれている広告記事ＩＤ１３１とを含めた広告記事全文作成要求を広告管理サーバ２００に送信する（ステップＳ２０８）。
【００７８】
広告管理サーバ２００では、広告記事全文作成部２５１は、広告記事全文作成処理によって、情報提供サーバ１００から広告記事全文作成要求を受信すると、広告記事全文作成要求に含まれている広告記事ＩＤ１３１に対応する広告記事全文情報２２３（広告記事全文用文章２２３ａ及び広告記事全文用画像２２３ｂ）を広告記事管理データベース２２０から取得し、さらに、広告記事全文作成要求に含まれている記事サイトＩＤ１２２に対応するテンプレートをサイト表示形式管理データベース２４０から取得する。そして、広告記事全文作成部２５１は、取得した広告記事全文情報２２３とテンプレートとを基に、広告記事全文表示用情報を作成し、作成した広告記事全文表示用情報を情報表示端末３００に送信する（ステップＳ２０９）。
【００７９】
情報表示端末３００では、広告記事全文表示部３１３は、広告記事全文表示処理によって、広告管理サーバ２００からの広告記事全文表示用情報を受信すると、その広告記事全文表示用情報を基に、広告記事の全文を表示部３０２に表示する（ステップＳ２１０）。
【００８０】
以上のような広告情報提供システム１によって、一般記事の要約と広告記事の要約とを並べた要約一覧が情報表示端末３００の表示部３０２に表示されて、要約一覧から一般記事の要約及び広告記事の要約のいずれかが選択されて一般記事の全文又は広告記事の全文が情報表示端末３００の表示部３０２に表示される場合でも、一般記事の全文の構成と同様なテンプレートに従って広告記事全文表示用情報が作成されることによって、広告記事の全文は、一般記事の全文と同様な構成として情報表示端末３００の表示部３０２に表示される。
【００８１】
これによって、情報表示端末３００の使用者は、表示部３０２に表示された広告記事の全文を一般記事の全文と同様な感覚で読むことができる。
例えば、従来は、広告記事の全文は、広告主において独自に作成されるものであるため、その全体構成は、一般記事の全文の全体構成と全く異なっていた。そのため、情報表示端末の使用者が広告記事の全文を一般記事の全文とは全く別なものとして瞬時に認識することになり、情報表示端末の使用者は、広告記事の全文を読む際に、一般記事の全文を読んでいたような興味を失ってしまっていた。これによって、広告記事は、その広告効果を発揮できなくなっていた。
【００８２】
これに対して、本実施形態では、情報表示端末３００の使用者は、表示部３０２に表示された広告記事の全文を一般記事の全文と同様な感覚で読むことができるようになる。この結果、情報表示端末３００の使用者は、一般記事の全文を読んでいたような興味と同様な興味を持って広告記事の全文を読むようになり、広告記事は、その広告効果を発揮できるようになる。
【００８３】
また、広告記事の全文を構成する所望の文章、画像を予め用意しておけば、広告記事の全文が自動的に作成されるようになるため、従来にあったような、従業員等によって広告記事の全文が意図しない内容で作成されてしまうようなことも防止できる。
【００８４】
また、本実施形態では、広告記事全文表示用情報が情報提供サーバ１００を介さずに情報表示端末３００に送信されることで、広告記事全文表示用情報そのものや広告記事全文表示用情報を作成するための情報を情報提供サーバ１００側で記憶しておく必要がなくなるため、情報提供サーバ１００のメモリ資源が有効活用されるようになる。
【００８５】
また、本実施形態では、広告管理サーバ２００が提供する広告記事の全文が、情報表示端末３００の使用者に情報提供サーバ１００のｗｅｂサイトが提供するものとして認識されるようになる。この結果、広告記事は、その広告効果をより発揮できるようになる。
【００８６】
次に、より具体的な例を用いて説明する。
図３０は、情報表示端末３００の表示部３０２に表示される記事の要約の一覧の一例を示す図である。
図３０に示すように、要約の一覧３０２ｐおいて、複数の一般記事の要約３０２ｑ〜３０２ｖの中に広告記事の要約３０２ｗが入れ込まれている。
【００８７】
そして、情報表示端末３００にて、一般記事の要約３０２ｑ〜３０２ｖのいずれかが選択されると、選択された要約に対応する一般記事の全文が表示部３０２に表示される。また、情報表示端末３００にて、広告記事の要約３０２ｗが選択されると、選択された要約に対応する一般記事の全文が表示部３０２に表示される。
【００８８】
図３１は、記事の全文の一例を示す図である。（ａ）は、本実施形態によって情報表示端末３００の表示部３０２に表示される一般記事の全文を示し、（ｂ）は、本実施形態によって情報表示端末３００の表示部３０２に表示される広告記事の全文を示し、（ｃ）は、従来の情報表示端末に表示される広告記事の全文を示す。
【００８９】
図３２乃至図４２は、図３１（ａ）に示す一般記事の全文の詳細を示す図である。図３２乃至図４２の順番で図を上下で繋げていくと、図３１（ａ）に示す一般記事の全文になる。また、図４３乃至図５０は、図３１（ｂ）に示す広告記事の全文の詳細を示す図である。図４３乃至図５０の順番で図を上下で繋げていくと、図３１（ｂ）に示す広告記事の全文になる。また、図５１乃至図５６は、図３１（ｃ）に示す従来の広告記事の全文の詳細を示す図である。図５１乃至図５６の順番で図を上下で繋げていくと、図３１（ｃ）に示す従来の広告記事の全文になる。
【００９０】
図３１（ａ）に示す一般記事の全文である図３２乃至図４２と、図３１（ｂ）に示す広告記事の全文である図４３乃至図５０とを比較すると、全体構成において差異がみられなくなっている。例えば、図３１（ａ）に示す一般記事の全文と図３１（ｂ）に示す広告記事の全文とで、大見出、中見出、小見出などの見出しの表示（ｈタグ）や同一カテゴリの記事表示などの枠組みが同じになっており、全体構成において差異がみられなくなっている。
【００９１】
これによって、情報表示端末３００の使用者は、表示部３０２に表示された広告記事の全文を一般記事の全文と同様な感覚で読むことができる。
これに対して、図３１（ａ）に示す一般記事の全文である図３２乃至図４２と、図３１（ｃ）に示す従来の広告記事の全文である図５１乃至図５６とを比較すると、全体構成において大きな差がみられる。
【００９２】
これは、広告記事の全文は、広告主において独自に作成されるものであるため、その全体構成は、一般記事の全文の全体構成と全く異なってしまう。
また、各情報提供サーバ１００（各記事サイト）に応じた構成で広告記事の全文を広告主が作成することも考えられるが、広告主の負担が大きくなりすぎる。これに対して、本実施形態の広告情報提供システム１では、広告主は、広告記事の全文の文章及び画像を用意するだけで、各情報提供サーバ１００（各記事サイト）に応じた構成の広告記事の全文を情報表示端末３００に表示させることができる。
【００９３】
なお、前述の実施形態の説明では、情報表示端末３００は、例えば、情報端末を構成する。また、表示部３０２は、例えば、表示手段を構成する。また、サイト表示形式管理データベース２４０は、例えば、第１記憶手段を構成する。また、広告記事管理データベース２２０は、例えば、第２記憶手段を構成する。また、広告記事全文作成部２５１は、例えば、作成手段を構成する。また、通信部２０１は、例えば、送信手段を構成する。
【００９４】
（本実施形態の他の例等）
本実施形態では、広告記事を複数の情報提供サーバ１００それぞれにおいて提供しても良い。この場合、例えば、各情報提供サーバ１００は、それぞれの表示態様によって一般記事の要約と広告記事の要約とを一覧として情報表示端末３００に表示する。そして、広告管理サーバ２００は、情報提供サーバ１００から広告記事全文作成要求があった場合、当該広告記事全文作成要求をした情報提供サーバ１００に応じたテンプレートを使って広告記事全文表示用情報を作成する。これによって、情報表示端末３００では、各情報提供サーバ１００が一般記事の全文を表示する構成と同様な構成によって広告記事の全文を表示するようになる。
【００９５】
また、本実施形態では、要約一覧に複数の広告記事の要約を含めるようにしても良い。この場合、情報提供サーバ１００は、情報表示端末３００にて表示した複数の広告記事の要約を含む要約一覧から一の広告記事の要約が選択されると、その選択された広告記事に対応する広告記事ＩＤ１３１を含めた広告記事全文作成要求を広告管理サーバ２００に送信することになる。
【００９６】
また、本実施形態では、情報提供サーバ１００が、テンプレートを使って広告記事の全文を作成しても良い。この場合、情報提供サーバ１００は、情報を表示する表示手段を備える情報端末との間で通信を行い当該情報端末に情報を提供する情報提供サーバであって、前記情報端末の表示手段に一般記事の全文を表示させる際の当該一般記事の全文の構成となるテンプレートが記憶される第１記憶手段と、広告記事の要約が記憶される第２記憶手段と、複数の一般記事の要約及び全文が記憶される第３記憶手段と、前記第３記憶手段に記憶されている複数の一般記事の要約と前記第２記憶手段に記憶されている広告記事の要約とを並べて一覧として前記情報端末の表示手段に表示させる情報である要約一覧表示用情報を作成する第１作成手段と、前記第１作成手段が作成した要約一覧表示用情報を前記情報端末に送信する第１送信手段と、前記情報端末にて前記要約一覧表示用情報を基に前記表示手段に表示した前記一覧から前記一般記事の要約及び前記広告記事の要約のいずれかが選択された情報である選択情報を受信する受信手段と、前記受信手段が受信した選択情報を基に、前記広告記事の要約が選択されたと判定すると、前記広告記事の全文が記憶されている広告管理サーバに広告記事の全文を要求し取得する取得手段と、前記受信手段が受信した選択情報を基に、前記一般記事の要約が選択されていると判定すると、当該一般記事の要約に対応する全文の記事を基に前記情報端末の表示手段に表示する情報である一般記事全文表示用情報を作成し、前記受信手段が受信した選択情報を基に、前記広告記事の要約が選択されたと判定すると、前記第１記憶手段に記憶されている前記テンプレートに従って前記取得手段が取得した広告記事の全文を基に前記情報端末の表示手段に当該広告記事の全文を表示する情報である広告記事全文表示用情報を作成する第２作成手段と、前記第２作成手段が作成した一般記事全文表示用情報又は広告記事全文表示用情報を前記情報端末に送信する第２送信手段と、を有する。
【００９７】
この場合において、広告管理サーバ２００が有するサイト表示形式管理データベース２４０のようなデータベースが、例えば、第１記憶手段を構成する。また、広告管理サーバ２００が有する広告記事管理データベース２２０のようなデータベースが、例えば、第２記憶手段を構成する。また、一般記事管理データベース１２０は、例えば、第３記憶手段を構成する。また、要約一覧作成部１４１は、例えば、第１作成手段を構成する。また、通信部１０１は、例えば、受信手段、第１送信手段及び第２送信手段を構成する。また、一般記事全文作成部１４２、及び広告管理サーバ２００が有する広告記事全文作成部２５１のような作成部が、例えば、第２作成手段を構成する。また、一般記事全文表示要求や広告記事全文表示要求は、例えば、選択情報を構成する。
【００９８】
また、本実施形態では、情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバを用いた広告管理方法であって、前記複数の情報提供サーバそれぞれが前記情報端末の表示手段に一般記事の全文を表示させる際の当該一般記事の全文の構成となる各テンプレートを第１記憶手段に記憶させ、かつ前記広告記事の全文を第２記憶手段に記憶させる記憶工程と、前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成する作成工程と、前記作成工程にて作成した広告記事全文表示用情報を送信する送信工程と、を有し、前記情報端末は、前記送信手段から送信された前記広告記事全文表示用情報を基に、前記テンプレートに従って配置させた前記広告記事の全文を前記表示手段に表示させることを特徴とする広告管理方法を実現している。
【００９９】
また、広告管理サーバ２００の記憶部２１０に記憶されているプログラムは、情報を表示する表示手段を備える情報端末との間で通信を行い複数の一般記事の要約と広告記事の要約とを並べて一覧として前記情報端末の前記表示手段に表示させ、前記一覧から前記一般記事の要約が選択されると当該要約に対応する記事の全文を前記表示手段に表示させ、前記一覧から前記広告記事の要約が選択されると当該記事に対応する情報を前記表示手段に表示させる情報提供サーバの複数と通信を行う広告管理サーバのコンピュータのプログラムであって、前記広告管理サーバは、前記複数の情報提供サーバそれぞれが前記情報端末の表示手段に一般記事の全文を表示させる際の当該一般記事の全文の構成となる各テンプレートが記憶される第１記憶手段と、前記広告記事の全文が記憶される第２記憶手段と、を有し、前記情報端末は、前記広告管理サーバから送信された広告記事全文表示用情報を基に、前記テンプレートに従って配置させた前記広告記事の全文を前記表示手段に表示させており、作成手段が、前記情報端末の表示手段に表示した前記一覧から前記広告記事の要約が選択されると、選択された広告記事の要約に対応する当該広告記事の全文を前記第２記憶手段から取得しかつ当該情報端末の表示手段に当該一覧を表示させた情報提供サーバに対応するテンプレートを前記第１記憶手段から取得し、当該テンプレートに従って当該広告記事の全文を基に前記情報端末の表示手段に当該広告記事の全文を表示する情報である広告記事全文表示用情報を作成し、送信手段が、前記作成手段が作成した広告記事全文表示用情報を送信すること、をコンピュータに実行させるプログラムとなる。
【０１００】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【０１０１】
１  広告情報提供システム、１００  情報提供サーバ、１０１  通信部、１１０  記憶部、１２０  一般記事管理データベース、１３０  広告記事管理データベース、１４０  処理部、１４１  要約一覧作成部、１４２  一般記事全文作成部、１４３  広告記事全文作成要求部、２００  広告管理サーバ、２０１  通信部、２１０  記憶部、２２０  広告記事管理データベース、２３０  記事サイト管理データベース、２４０  サイト表示形式管理データベース、２５０  処理部、２５１  広告記事全文作成部、３００  情報表示端末、３０２  表示部、４００  通信ネットワーク
【図１】
2017120598.tif 000003
【図２】
2017120598.tif 000004
【図３】
2017120598.tif 000005
【図４】
2017120598.tif 000006
【図５】
2017120598.tif 000007
【図６】
2017120598.tif 000008
【図７】
2017120598.tif 000009
【図８】
2017120598.tif 000010
【図９】
2017120598.tif 000011
【図１０】
2017120598.tif 000012
【図１１】
2017120598.tif 000013
【図１２】
2017120598.tif 000014
【図１３】
2017120598.tif 000015
【図１４】
2017120598.tif 000016
【図１５】
2017120598.tif 000017
【図１６】
2017120598.tif 000018
【図１７】
2017120598.tif 000019
【図１８】
2017120598.tif 000020
【図１９】
2017120598.tif 000021
【図２０】
2017120598.tif 000022
【図２１】
2017120598.tif 000023
【図２２】
2017120598.tif 000024
【図２３】
2017120598.tif 000025
【図２４】
2017120598.tif 000026
【図２５】
2017120598.tif 000027
【図２６】
2017120598.tif 000028
【図２７】
2017120598.tif 000029
【図２８】
2017120598.tif 000030
【図２９】
2017120598.tif 000031
【図３０】
2017120598.tif 000032
【図３１】
2017120598.tif 000033
【図３２】
2017120598.tif 000034
【図３３】
2017120598.tif 000035
【図３４】
2017120598.tif 000036
【図３５】
2017120598.tif 000037
【図３６】
2017120598.tif 000038
【図３７】
2017120598.tif 000039
【図３８】
2017120598.tif 000040
【図３９】
2017120598.tif 000041
【図４０】
2017120598.tif 000042
【図４１】
2017120598.tif 000043
【図４２】
2017120598.tif 000044
【図４３】
2017120598.tif 000045
【図４４】
2017120598.tif 000046
【図４５】
2017120598.tif 000047
【図４６】
2017120598.tif 000048
【図４７】
2017120598.tif 000049
【図４８】
2017120598.tif 000050
【図４９】
2017120598.tif 000051
【図５０】
2017120598.tif 000052
【図５１】
2017120598.tif 000053
【図５２】
2017120598.tif 000054
【図５３】
2017120598.tif 000055
【図５４】
2017120598.tif 000056
【図５５】
2017120598.tif 000057
【図５６】
2017120598.tif 000058